(57)【要約】【課題】  本発明は、東日本大震災による巨大な津波で、倒壊した建物ががれきとなって押し寄せるなど甚大な被害をもたらしたことから、臨海地区における工場や倉庫等の建物の出入口のシャッターへのがれき衝突に対する強度向上をはじめとして、より厳しくなった仕様条件に対応できる機能を持つシャッター機構の提供を課題としている。【解決手段】  建造物の出入口等外壁開口部の屋外側に設けられ、津波や洪水等の水害時に該外壁開口部を閉鎖して建物内への浸水を防止する機能を有する浸水防止シャッター装置と、浸水防止シャッター装置の左右外側に立設されたがれき防御扉取付柱に開閉可能に取着され、津波や洪水等の水害時に浸水防止シャッター装置の前面に展開して洪水や津波がもたらす倒壊物、流動車両、土砂等のがれきの浸水防止シャッター装置への衝突を防御する折りたたみ式のがれき防御扉とで構成された津波・洪水水害対応シャッター機構による。【選択図】  図１
2018184802.tif 000002
【特許請求の範囲】
【請求項１】
建造物の出入口等外壁開口部の屋外側に設けられ、津波や洪水等の水害時に該外壁開口部を閉鎖して建物内への浸水を防止する機能を有する浸水防止シャッター装置（１）と、
該浸水防止シャッター装置（１）の左右外側に立設されたがれき防御扉取付柱（３１）に開閉可能に取着され、津波や洪水等の水害時に前記浸水防止シャッター装置（１）の前面に展開して洪水や津波がもたらす倒壊物、流動車両、土砂等のがれきの前記浸水防止シャッター装置（１）への衝突を防御する折りたたみ式のがれき防御扉（３０）とで構成されてなることを特徴とする津波・洪水水害対応シャッター機構。
【請求項２】
前記浸水防水シャッター装置（１）が、前記外壁開口部を閉鎖するシャッター本体（２）と、
平時に前記シャッター本体（２）を巻回掛止して収納するシャッター巻回リール（３）を備えたシャッター収納ボックス（４）と、
洪水、津波発生時に前記シャッター本体（２）が外壁開口部を閉鎖したとき、シャッター本体（２）全体を外側から押圧し、前記外壁開口部上部及び左右両端部に取付具を介して内側に向けて設けられ、内部への浸水を防止する中空の弾性体でなる浸水防止材（１７）に密着させる押圧機構（１０）と
で構成されてなることを特徴とする請求項１に記載の津波・洪水水害対応シャッター機構。
【請求項３】
前記シャッター本体（２）が、複数のスラット（２ａ）を連結して構成され、かつ前記スラット（２ａ）それぞれの屋内側全面に板状のネオプレンゴム製の浸水防止材（２ｂ）が浸水防止材取付具（２ｃ）を介して固着され、さらに、床面に当接する下端部にネオプレンゴム製の浸水防止材（２ｂ’）が固着され、シャッター本体（２）で外壁開口部を閉鎖すると、前記スラット屋内側に固着された浸水防止材（２ｂ）がスラット（２ａ）の自重によって相互に密着してスラット（２ａ）の連結部からの浸水を防止し、また前記下端部の浸水防止材（２ｂ’）が床面に押し付けられて床面からの浸水を防止するよう構成されてなることを特徴とする請求項１又は２に記載の津波・洪水水害対応シャッター機構。
【請求項４】
前記押圧機構（１０）が、シャッター本体（２）が降下したことを検知して作動するモーター（１４）と、
前記モーター（１４）とチェーン（１９）で結ばれたウオームギア（１１）と、
前記ウオームギア（１１）のウオーム（１１ａ）に噛み合うウオームホイール（１１ｂ）に軸着された上下に延びるウオームギアシャフト（１２）と、
前記ウオームギアシャフト（１２）と回動アーム（１５）によって連結されたカムシャフト（１３）と
で構成されてなることを特徴とする請求項１〜３のいずれか１項に記載の津波・洪水水害対応シャッター機構。
【請求項５】
前記津波や洪水等の水害時に前記浸水防止シャッター装置（１）の前面に展開して洪水や津波がもたらす倒壊物、流動車両、土砂等のがれきの衝突を防御する折りたたみ式のがれき防御扉（３０）が、前記シャッター機構（１）の左右端の外側に立設された２本の方形鋼管柱で形成されたがれき防御扉取付柱（３１）にそれぞれ開閉自在に装着されてなる鋼製の格子戸であることを特徴とする請求項１に記載の津波・洪水水害対応シャッター機構。
【請求項６】
前記折りたたみ式のがれき防御扉（３０）が、展開時に戸外側となる面に、格子の目を通り抜ける土砂から前記シャッター本体（２）を防御するためのパンチング鋼材（３０ｄ）を装着してなることを特徴とする請求項１又は５に記載の津波・洪水水害対応シャッター機構。
【請求項７】
前記折りたたみ式のがれき防御扉（３０）が、平常時には前記がれき防御扉取付柱（３１）の外側面に沿って折りたたまれ、有事の際に前記シャッター本体（２）の前面に展開して倒壊物、流動車両、土砂等のがれきのシャッター本体（２）への衝突が防御ができるよう取り付けられてなることを特徴とする請求項１、５、６のいずれか１項に記載の津波・洪水水害対応シャッター機構。
【発明の詳細な説明】
【技術分野】
【０００１】
本発明は、洪水や津波等の水害発生時に建造物内への浸水を防止する機能を有する浸水防止シャッター装置と、洪水や津波がもたらす倒壊物、流動車両、土砂等のがれきが前記浸水防止シャッター装置のシャッター本体に衝突して破損させて前記浸水防止シャッター装置の浸水防止機能を損なわせるのを防御する津波・洪水水害対応シャッター機構に関する。
【背景技術】
【０００２】
本発明者は、先に
「近時、集中豪雨や河川の決壊、高潮等により、溢れた大量の水が例えばビルの入口や地下街、その他の地下空間の入口へ押し寄せて流入し、ビル内や地下空間が浸水・水没して内部で人的・物的被害が生じる事態を時々見聞する。また最近は地下街等の地下空間の利用がますます拡大している上に、地上に比べて地下空間では短時間で一気に水位が上昇するため、被害が大きくなることが多い．さらには、近時増加している臨海地の工場その他の建物では巨大地震による津波による甚大な被害も想定される。」
として特許文献１に開示された「防水機構付きシャッター」の発明を行った。
そしてその後、東日本大地震による津波発生の被害状況から上記特許文献１の「防水機構付きシャッター」のみでは、
「巨大津波の被害、あるいはシャッター上部までの浸水という大震災を想定した場合、シャッター上部からの浸水、大きな水圧によるシャッタ本体の歪み等が生じる可能性もあり、さらなる防水性能の向上と、水圧や浮遊物の衝突に対応できる耐圧性能を実現する」
として特許文献２に開示された「津波、洪水および破壊侵入対応型防災シャッター」の発明を行った。
この特許文献２の「津波、洪水および破壊侵入対応型防災シャッター」は、
上部に巻き上げ機構を有するシャッター本体と、当該シャッター本体を閉めた状態において、その上端および左右端それぞれに対向する水平位置に所定の間隔をなして屋外側に設けれた弾性パッキンと、当該シャッター本体を室内から屋外方向に向かう圧力を生じさせるための補強パネルと、当該補強パネルを室内において平面内で並進および回転させるための移動機構と、上記補強パネルが上記シャッター本体に圧力を生じさせた状態で上記補強パネルの回転を制約する固定機構とを備え、
上記補強パネルの回転軸は、当該補強パネルの平面内長手方向において中心からはずれた位置にあり、上記補強パネルを平面内で回転させることで当該補強パネルが上記シャッター本体に圧力を生じさせ、上記シャッター本体全体を上記所定の間隔以上の距離を屋外方向に移動させることを特徴としている。（請求項１）。
【０００３】
前記特許文献２に開示された「津波、洪水および破壊侵入対応型防災シャッター」は、建物の屋内側に設置され日常的に開閉して使用される従来型のシャッターを、津波や洪水、高潮等の水害発生時における浸水防止力、及び水圧や浮遊物の衝突に対する耐圧力を、屋内に設置した補強パネルによって補強しそれなりの効果をもたらすものであるが、先の東日本大震災による巨大な津波では、漁船が打ち上げられ、倒壊した建物ががれきとなって押し寄せるなど甚大な被害をもたらしたことからから、臨海地区における工場や倉庫等の建物の復興に際しては、その出入口のがれき衝突に対する強度向上をはじめ、その仕様条件がより厳しく設定される事態となり、その仕様条件に対応できる機能を有するシャッターの実現が期待されている。
【先行技術文献】
【特許文献】
【０００４】
【特許文献１】特開２０１０−２７５７８９号公報
【特許文献２】特開２０１４−９８２０号公報
【発明の概要】
【発明が解決しようとする課題】
【０００５】
本発明は、上記周辺技術におけるより厳しい要求に応えるべくなされたもので、日常使用する出入口の扉やシャッターとは別に、建造物出入口等の外壁開口部の屋外側に設け、津波や洪水等の水害発生時に前記外壁開口部を閉鎖して建物内への浸水と、津波や洪水がもたらすがれきのシャッターへの衝突を防御する津波・洪水水害対応シャッター機構の提供を課題としている。
【課題を解決するための手段】
【０００６】
本発明者は上記課題を下記の手段により解決した。
（１）建造物の出入口等外壁開口部の屋外側に設けられ、津波や洪水等の水害時に該外壁開口部を閉鎖して建物内への浸水を防止する機能を有する浸水防止シャッター装置と、
該浸水防止シャッター装置の左右外側に立設されたがれき防御扉取付柱に開閉可能に取着され、津波や洪水等の水害時に前記浸水防止シャッター装置の前面に展開して洪水や津波がもたらす倒壊物、流動車両、土砂等のがれきの前記浸水防止シャッター装置への衝突を防御する折りたたみ式のがれき防御扉とで構成されてなることを特徴とする津波・洪水水害対応シャッター機構。
【０００７】
（２）前記浸水防止シャッター装置が、前記外壁開口部を閉鎖するシャッター本体と、
平時に前記シャッター本体を巻回掛止して収納するシャッター巻回リールを備えたシャッター収納ボックスと、
洪水、津波発生時に前記シャッター本体が外壁開口部を閉鎖したとき、シャッター本体全体を外側から押圧し、前記外壁開口部上部及び左右両端部に取付具を介して内側に向けて設けられ、内部への浸水を防止する中空の弾性体でなる浸水防止材に密着させる押圧機構と
で構成されてなることを特徴とする（１）に記載の津波・洪水水害対応シャッター機構。
（３）前記シャッター本体が、複数のスラットを連結して構成され、かつ前記スラットそれぞれの屋内側全面に板状のネオプレンゴム製の浸水防止材が浸水防止材取付具を介して固着され、さらに、床面に当接する下端部にネオプレンゴム製の浸水防止材が固着され、シャッター本体で外壁開口部を閉鎖すると、前記スラットの屋内側に固着された浸水防止材がスラットの自重によって相互に密着してスラットの連結部からの浸水を防止し、また前記下端部の浸水防止材が床面に押し付けられて床面からの浸水を防止するよう構成されてなることを特徴とする（１）又は（２）に記載の津波・洪水水害対応シャッター機構。
【０００８】
（４）前記押圧機構が、シャッター本体が降下したことを検知して作動するモーターと、
前記モーターとチェーンで結ばれたウオームギアと、
前記ウオームギアのウオームに噛み合うウオームホイールに軸着された上下に延びるウオームギアシャフトと、
前記ウオームギアシャフトと回動アームによって連結されたカムシャフトと
で構成されてなることを特徴とする（１）〜（３）のいずれか１項に記載の津波・洪水水害対応シャッター機構。
【０００９】
（５）前記津波や洪水等の水害時に前記浸水防止シャッター装置の前面に展開して洪水や津波がもたらす倒壊物、流動車両、土砂等のがれきの衝突を防御する折りたたみ式のがれき防御扉が、前記浸水防止シャッター機構の左右端の外側に立設された２本の方形鋼管柱で形成されたがれき防御扉取付柱にそれぞれ開閉自在に装着されてなる鋼製の格子戸であることを特徴とする（１）に記載の津波・洪水水害対応シャッター機構。
（６）前記折りたたみ式のがれき防御扉が、その格子戸の外部側の全面に、格子の目を通り抜ける土砂から前記シャッター本体を防御するためのパンチング鋼材を装着してなることを特徴とする請求項１又は５に記載の津波・洪水水害対応シャッター機構。
（７）前記折りたたみ式のがれき防御扉が、平常時には前記がれき防御扉取付柱の外側面に沿って折りたたまれ、有事の際に前記シャッター本体の前面に展開して倒壊物、流動車両、土砂等のがれきのシャッター本体への衝突が防御できるよう取り付けられてなることを特徴とする請求項１又は５に記載の津波・洪水水害対応シャッター機構。
【発明の効果】
【００１０】
本発明の津波・洪水水害対応シャッター機構により下記の効果が発揮される。
〈１〉建造物の出入口等外壁開口部の屋外側に設けられ、津波や洪水等の水害時に該外壁開口部を閉鎖して建物内への浸水を防止する機能を有する浸水防止シャッター装置と、
該浸水防止シャッター装置の左右外側に立設されたがれき防御扉取付柱に開閉可能に取着され、津波や洪水等の水害時に前記浸水防止シャッター装置の前面に展開して洪水や津波がもたらす倒壊物、流動車両、土砂等のがれきの前記浸水防止シャッター装置への衝突を防御する折りたたみ式のがれき防御扉とで構成されているので、
洪水、津波などの甚大な水害に伴う水圧に耐えて屋内への浸水を防止でき、また、洪水や津波がもたらすがれきのシャッター本体への衝突による破壊も防御でき、人命や施設設備の安全が確保できる。
【００１１】
〈２〉前記浸水防水シャッター装置が、前記外壁開口部を閉鎖するシャッター本体と、
平時に前記シャッター本体を巻回掛止して収納するシャッター巻回リールを備えたシャッター収納ボックスと、
洪水、津波発生時に前記シャッター本体が外壁開口部を閉鎖したとき、シャッター本体全体を外側から押圧し、前記外壁開口部上部及び左右両端部に取付具を介して内側に向けて設けられ、内部への浸水を防止する中空の弾性体でなる浸水防止材に密着させる押圧機構と
で構成され、
そして前記シャッター本体が、複数のスラットの連結でなり、かつ前記スラットそれぞれの屋内側全面に板状の弾性体でなる浸水防止材が浸水防止材取付具を介して固着され、さらに、床面に当接する下端部にもネオプレンゴム製の浸水防止材が固着されているので、
シャッター本体で外壁開口部を閉鎖すると、前記スラットの屋内側に固着された浸水防止材がスラットの自重によって相互に密着してスラットの連結部からの浸水を防止し、また前記下端部の浸水防止材が床面に押し付けられて床面からの浸水を防止することができる。
〈３〉前記押圧機構が、シャッター本体が降下したことを検知して作動するモーターと、
前記モーターとチェーンで結ばれたウオームギアと、
前記ウオームギアのウオームに噛み合うウオームホイールに軸着された上下に延びるウオームギアシャフトと、
前記ウオームギアシャフトと回動アームによって連結されたカムシャフトと
で構成されているので、
上記〈２〉の効果に加えて、前記シャッター本体の浸水防止材が、自動的に外壁開口部の上部壁面及び左右両側部壁面に当接押圧されて浸水する隙間をなくすため、高い水位の水害に対しても対応でき、安全性が確保できる。
【００１２】
〈４〉前記津波や洪水等の水害時に前記浸水防止シャッター装置の前面に展開して洪水や津波がもたらす倒壊物、流動車両、土砂等のがれきの衝突を防御する折りたたみ式のがれき防御扉が、鋼製の格子戸であり、前記シャッター機構の左右端の外側に立設された２本の方形鋼管柱で形成されたがれき防御扉取付柱に、常時は該がれき防御扉取付柱の外側面に沿って折りたたまれ、有事の際に前記シャッター本体の前面に展開して倒壊物、流動車両、土砂等のがれきのシャッター本体への衝突が防御できるよう取り付けられているので、
常時外壁開口部の利用が妨げられることなく、有事には倒壊物、流動車両、土砂等のがれきのシャッター本体への衝突を防御し、前記外壁開口部の安全性を確保できる。
また、前記折りたたみ式のがれき防御扉が、その格子戸の外部側の全面に、格子の目を通り抜ける土砂から前記シャッター本体を防御するためのパンチング鋼材を装着しているので、
より高い安全性が確保できる。
【図面の簡単な説明】
【００１３】
【図１】本発明の津波・洪水水害対応シャッター機構の構成説明図
【図２】シャッター本体の構成を示す横断面図
【図３】浸水防止シャッター装置の構造を示す縦断面図
【図４】浸水防止シャッター装置の詳細構造を示す横断面図
【図５】シャッター本体の作動状態の説明図（ａ）降下時の状態（ｂ）降下完了時の状態
【図６】がれき防御扉の展開時の構造を示す縦断面図
【図７】がれき防御扉の格納時の構造を示す縦断面図
【図８】がれき防御扉の下部に設けられたキャスターと丸落としの装着構造を示す横断面図
【発明を実施するための形態】
【００１４】
本発明の津波・洪水水害対応シャッター機構を実施するための形態を実施例の図に基づいて説明する。
図１は、本発明の津波・洪水水害対応シャッター機構の構成説明図、図２はシャッター本体の構成を示す横断面図、図３は浸水防止シャッター装置の構造を示す縦断面図、図４は浸水防止シャッター装置の構造を示す横断面図、図５はシャッター本体の作動状態の説明図であって（ａ）は降下時の状態を、（ｂ）は降下完了時の状態を示しており、図６はがれき防御扉の展開時の構造を示す縦断面図、図７はがれき防御扉の格納時の構造を示す縦断面図、図８はがれき防御扉の下部に設けられたキャスターと丸落としの装着構造を示す横断面図である。
図において１は浸水防止シャッタ装置、２はシャッター本体、２ａはスラット、２ｂ、２ｂ’は浸水防止材、２ｃは浸水防止材取付具、２ｄはスラット撓み止め、２ｅは撓み止め受け鋼材、３はシャッター巻回リール、４はシャッター収納ボックスであり、１０は押圧機構、１１はウオームギア、１１ａはウオーム、１１ｂはウオームホイール、１２はウオームギアシャフト、１３はカムシャフト、１４はモーター、１５は回動アーム、１６はスラット誘導ローラー、１７は中空の弾性体でなる浸水防止材、１８はスラストベアリング、１９はチェーン、２０は手動ハンドル、２０ａは手動ハンドル取付軸を示しており、
３０はがれき防御扉、３０ａは扉枠体、３０ｂは横桟、３０ｃは縦桟、３０ｄはパンチング鋼材、３０ｅは蝶番、３０ｆは丸落とし、３０ｇはキャスター、３０ｈは丸落とし受け，３０ｉは戸当たりであり、３１はがれき防御扉取付柱、３２は梁を示す。
【００１５】
本発明の津波・洪水水害対応シャッター機構は、図１に示すように、建造物の出入口等外壁開口部の屋外側に設けられ、津波や洪水等の水害時に該外壁開口部を閉鎖して建物内への浸水を防止する機能を有する浸水防止シャッター装置１と、
該浸水防止シャッター装置１の左右外側に立設されたがれき防御扉取付柱３１に開閉可能に取着され、津波や洪水等の水害時に前記浸水防止シャッター装置１の前面に展開して洪水や津波がもたらす倒壊物、流動車両、土砂等のがれきの前記浸水防止シャッター装置１への衝突を防御する折りたたみ式のがれき防御扉３０とで構成されている。
前記浸水防止シャッター装置１は、前記外壁開口部を閉鎖するシャッター本体２と、前記シャッター本体２を巻回掛止して収納するシャッター巻回リール３を備えたシャッター収納ボックス４と、洪水、津波発生時に前記シャッター本体２が外壁開口部を閉鎖したとき、シャッター本体２を外部から押圧して内部への浸水を防止する押圧機構１０とで構成され、そして本発明のシャッター本体２は、図２に示すように連結した複数のスラット２ａのそれぞれの屋内側の全面に板状のネオプレンゴム製の浸水防止材２ｂが浸水防止材取付具２ｃを介して固着され、さらに、床面に当接する下端部にネオプレンゴム製の浸水防止材２ｂ’が固着され、シャッター本体２で外壁開口部を閉鎖すると、図５（ｂ）に示すように、前記スラット２ａの屋内側に固着された浸水防止材２ｂがスラット２ａの自重によって相互に密着してスラット２ａの連結部からの浸水を防止し、また前記下端部の浸水防止材２ｂ’が床面に押し付けられて床面からの浸水を防止するよう構成されている。
【００１６】
そしてまた、前記シャッター本体２が降下し外壁開口部を閉鎖した時、前記シャッター本体２を外壁開口部の外側から外壁面に押し付けて建物内への浸水を防止する押圧機構１０が、図１のＢ−Ｂ断面図に示すように、手動ハンドル２０で操作できるよう開口部左右の床面から１．２ｍの高さの位置にそれぞれ設けられている。
この押圧機構１０は、図３に示すように、前記シャッター本体２が降下し外壁開口部を閉鎖したことを検知して作動するモーター１４と、前記モーター１４とチェーン１９で結ばれたウオームギア１１と、ウオームギア１１のウオーム１１ａに噛み合ったウオームホイール１１ｂに軸着された上下に延びるウオームシャフト１２と、前記ウオームギアシャフト１２と回動アーム１５によって連結されたカムシャフト１３とで構成されている。
図３において左側の図は、押圧機構１０作動前の、即ちカムシャフト１３がシャッター本体２に当接せず、浸水防止材２ｂが外壁開口部上部及び左右両端部に取付具介して内側に向けて設けられた中空の弾性体でなる浸水防止材１７に押し付けられていない状態を、右側の図は、押圧機構１０作動後の、即ちカムシャフト１３がシャッター本体２に当接して浸水防止材２ｂを前記中空の弾性体でなる浸水防止材１７に押し付けてシャッタ本体２と外壁開口部上部及び左右両端部の間に隙間が生じないようにし、開口部からの浸水を完全に防止した状態を示している。
なお、押圧機構１０は、右側の図に示したように、押圧機構ボックス１０ａ内に、前記シャッター本体２の各スラット２ａの左右端部に設けられた撓み止め２ｄを掛着する撓み止め受け鋼材２ｅとともに収容されている。
【００１７】
図４は、浸水防止シャッター装置１の構成を示す横断面図であって、上部には平時にシャッター本体２を巻回掛止しておく巻回リール３を備えたシャッター収納ボックス４が設けられ、前記シャッター収納ボックス４と床面との間に、シャッター本体２を前記中空の弾性体でなる浸水防止材１７に押し付ける押圧機構１０が設けられている。
押圧機構１０は、図４に見られるように、ウオームギア１１から下方に延びたウオームギアシャフト１２は床面にスラストベアリング１８を介して回動可能に立設されてなり、該ウオームギアシャフト１２の下端に固着された回動アーム１５上に前記カムシャフト１３の下端部がスラストベアリング１８を介して軸支されている。また、ウオームギア１１から上方に延びたウオームギアシャフト１２及びカムシャフト１３は、シャッター収納ボックスの底面に、それぞれ下方に延びたウオームギアシャフト及びカムシャフトと同様な形態で取り付けられている。
【００１８】
次いで本浸水防止シャッター装置１の水害発生時における作動について説明する。
洪水警報や津波警報が発せられ、水害の危険が迫ったとき、シャッター収納ボックス４内に巻回掛止してなるシャッター巻回リール３の掛止を解除すると、巻回して収納されていたシャッタ−本体２は、スラット誘導ローラー１６によって浸水防止機構ボックス１０ａ内に誘導され、前記スラット２ａの左右端に設けられた撓み止め２ｄを撓み止め受け鋼材２ｅに順次掛着しつつ降下する。
図５はその経緯を、シャッター本体２の形状変化で示したもので、（ａ）はシャッター本体２が下降途上にある状態で、巻回するためスラット２ａの連結部の持たせた余裕間隔間によって隣接する浸水防止材２ｂ間に隙間が存在することを、（ｂ）はシャッター本体が降下し終えて浸水防止材２ｂが自重によって相互に密着し、下端部の浸水防止材２ｂ’が床面に押し付けられていることを示している。
【００１９】
前記シャッタ本体２の降下が終了したことを検知すると、押圧機構１０のモーター１４が駆動し、チェーン１９で連結されたウオームギア１１を介してウオームギアシャフト１２を前記シャッター本体２のスラット２ａに当接、押圧してスラット２ａに浸水防止材取付具２ｃを介して固着された浸水防止材２ｂを、外壁開口部上部及び左右両端部に取付具を介して設けられた中空の弾性体でなる浸水防止材１７に押し付けて、前記モーター１４が停止し浸水防止作用は完成し、浸水防止効果を発揮することとなる。
そして、本押圧機構１０は、洪水・津波水害時に機能しなければならないので、災害による停電等による押圧機構１０の機能低下や、屋外にある押圧機構１０が浸水して水害後の復旧作業のために前記シャッター本体２の押圧を解除しなければならなかったりする場合を考慮して、前記ウオームの回転軸を延伸して手動ハンドル２０が取り付けられる手動ハンドル取付軸２０ａとしておくことも好ましい。なお、シャッター本体２は停電になっても自動降下する機構となっており、前記スラット２ａに固着された浸水防止材２ｂ相互の密着と、前記下端部の浸水防止材２ｂ’の床面への押し付けとは、自動的に遂行される。
また、本押圧機構１０を設ける床面を、屋内の床面より１０〜１５ｍｍ低くした段差を設けておくことも、浸水時に掛かる水圧によってシャッター本体２の下端部の浸水防止材２ｂがこの段差に当接、密着され、浸水防止効果が高まるので好ましい。図５（ｂ）にはこの段差も併せて表示した。
なお、本浸水防止シャッター装置１においても、前記シャッター収納ボックス４内に備えたシャッター巻回リール３には、従来のシャッターと同様にシャッター巻取用モーターによって降下したシャッター本体２を巻き上げて収納する機能が備えられており、シャッター本体が降下したことを検知して押圧機構を作動させる機能を水害時にのみ作用させられるよう構成しておけば  平時には防火、防犯用シャッターとして使用できる。
【００２０】
前記津波や洪水等の水害時に前記浸水防止シャッター装置１の前面に展開して洪水や津波がもたらす倒壊物、流動車両、土砂等のがれきの衝突を防御する折りたたみ式のがれき防御扉３０は、図１に示すように、前記シャッター機構１の左右端の外側に立設された２本の方形鋼管柱で形成されたがれき防御扉取付柱３１にそれぞれ開閉自在に装着されてなる鋼製の格子戸であって、平時には前記がれき防御扉取付柱３１の外側面に沿って折りたたまれ、洪水や津波発生時に前記シャッター本体２の前面に展開して倒壊物、流動車両、土砂等のがれきのシャッター本体２への衝突が防御できるよう取り付けられている。その具体的構造を図６によって説明する。
図６は、図１のＡ−Ａ断面図に示したがれき防御扉３０の左側の部分の構造をより詳細に説明するためのものである。図１には格子戸の横桟として幅広の３本と、細目の８本の計１１本が、縦桟として３本が描かれており、これに合致するよう図６においても縦桟３０ｃを３本表示したが、これら横桟３０ｂ及び縦桟３０ｃの数や形状寸法は、建造物の外壁開口部の幅や高さ、予想されるがれきの種類や大きさ等の諸条件を考慮にして定められるものであり、前記本数に限定されるものではない。
また、格子目より細かながれきによる被害からもシャッター本体２を防御するため、前記がれき防御扉３０の外面に、パンチング鋼板３０ｄを設けててなることも好ましい。
【００２１】
がれき防御扉３０は蝶番３０ｅを介して２７０度回動可能にしてがれき防御扉取付柱３１へ取り付けられ  またがれき防御扉を構成する２枚の格子戸を折りたためるように枠体３０ａの側面同士を蝶番３０ｅによって結合されている。そして結合された格子戸のがれき防止扉取付柱側の扉枠体３０ａの下部には、該がれき防御扉３０の開閉を容易にするためのキャスター３０ｇが備えられている。
がれき防止扉を折りたたんで格納した状態を図７に示した。図に見られるように、格納によって近接する扉枠体３０ａ間と、梁３２に近接する扉枠体３０ａには相互の間隔を保持して安定した格納が可能になるよう戸当たり３０ｉが設けられている。
さらに前記がれき防御扉３０を展開したときその先端部を床面に固定するための丸落とし３０ｆが扉枠体３０ａの下辺中央部に浸水防止シャッター装置１に相対する側に突設され床面に設けられた丸落とし受け３０ｈに落とし込んでがれき防御扉３０に掛かる水圧にに耐えうるよう構成されている。
図８に前記扉枠体３０ａの下部に設けられるキャスター３０ｇと丸落とし３０ｆの取り付け構造を横断面図で示した。図８（ｂ）に実線で示した丸落とし３０ｆは、床面の丸落とし受けにた係止された状態を、点線は係止が解除された状態を示している。
【符号の説明】
【００２２】
１：浸水防止シャッタ装置
２：シャッター本体
２ａ：スラット
２ｂ、２ｂ’：浸水防止材
２ｃ：浸水防止材取付具
２ｄ：スラット撓み止め
２ｅ：撓み止め受け鋼材
３：シャッター巻回リール
４：シャッター収納ボックス
１０：押圧機構
１０ａ：押圧機構ボックス
１１：ウオームギア
１１ａ：ウオーム
１１ｂ：ウオームホイール
１２：ウオームギアシャフト
１３：カムシャフト
１４：モーター
１５：回動アーム
１６：スラット誘導ローラー
１７：中空の弾性体でなる浸水防止材
１８：スラストベアリング
１９：チェーン
２０：手動ハンドル
２０ａ：手動ハンドル取付軸
３０：がれき防御扉
３０ａ：扉枠体
３０ｂ：横桟
３０ｃ：縦桟
３０ｄ：パンチング鋼材
３０ｅ：蝶番
３０ｆ：丸落とし
３０ｇ：キャスター
３０ｈ：丸落とし受け
３０ｉ：戸当たり
３１：がれき防御扉取付柱
３２：梁
【図１】
2018184802.tif 000003
【図２】
2018184802.tif 000004
【図３】
2018184802.tif 000005
【図４】
2018184802.tif 000006
【図５】
2018184802.tif 000007
【図６】
2018184802.tif 000008
【図７】
2018184802.tif 000009
【図８】
2018184802.tif 000010